(57)【要約】【課題】セラミックヒーター機能付き布団乾燥機の提供。【解決手段】セラミックヒーター機能付き布団乾燥機は、機体内にファンと風向制御装置が設けられ、ファンが機体外の空気を吸入してヒーターに送り、さらに該風向制御装置に送り、該風向制御装置は布団乾燥出風管と温風出風管に接続されたシャッターを具え、該シャッター内に回転軸で切換板が枢設され、該シャッターに切替モーターが設けられ、該切替モーターが該回転軸に接続され、該切換板を制御して該シャッターに設けられた第１開口と第２開口の間で回転させ、切換板が該第１開口を遮蔽する時、機体内に吸入された空気は該シャッターの第２開口を通過して該温風吹出口より送出され、上述の切換板が該第２開口を遮蔽する時、機体内に吸入された空気は該シャッターの第１開口を通過して該布団乾燥吹出口より送出される。【選択図】図２
0003139529.tif 000002
【実用新案登録請求の範囲】
【請求項１】
セラミックヒーター機能付き布団乾燥機において、
機体であって、吸込口、温風吹出口、及び布団乾燥吹出口を具えた、上記機体と、
ファンであって、該機体内に設けられ、空気を該吸込口より後述のシャッター内に吸入します、上記ファンと、
風向制御装置であって、側壁に第１開口と第２開口を具えたシャッターを包含し、且つ該シャッターの内部に中空の内空間が形成され、該第１開口に布団乾燥出風管が接続され、且つ該布団乾燥出風管が該布団乾燥吹出口に対応し、該シャッター内に回転軸で切換板が枢設され、該シャッターに切替モーターが設けられ、該切替モーターが該回転軸に接続されて該回転軸を制御して該第１開口と該第２開口の間で回転させ、該切換板が該第１開口を遮蔽する時、該機体内に吸入された空気が該シャッターの第２開口を通過して該温風吹出口より送出され、該切換板が該第２開口を遮蔽する時、該機体内に吸入された空気が該シャッターの第１開口を通過して該布団乾燥吹出口より送出される、上記風向制御装置と、
を包含したことを特徴とする、セラミックヒーター機能付き布団乾燥機。
【請求項２】
請求項１記載のセラミックヒーター機能付き布団乾燥機において、該シャッターに第１トリガスイッチと第２トリガスイッチが設けられ、該回転軸に接続部材が設けられ、該切替モーターが該回転軸を介して該切換板を駆動して回転させて第１開口を閉じさせる時、該接続部材が該第１トリガスイッチに接触して該切替モーターの電力を切断させ、該切替モーターが該回転軸を介して該切換板を駆動して回転させて第２開口を閉じさせる時、該接続部材が該第２トリガスイッチに接触して該切替モーターの電力を切断させることを特徴とする、セラミックヒーター機能付き布団乾燥機。
【請求項３】
請求項１又は２記載のセラミックヒーター機能付き布団乾燥機において、該シャッターに貫通穴を具えた底座が設けられ、該ファンが吸入する空気が該貫通穴を通り該シャッターに進入することを特徴とする、セラミックヒーター機能付き布団乾燥機。
【考案の詳細な説明】
【技術分野】
【０００１】
本考案はセラミックヒーター機能付き布団乾燥機を具えた家庭用電化製品に関する。
【背景技術】
【０００２】
周知のファンヒーター或いは布団乾燥機は、いずれも機体内のファンを利用して、ケース外の空気を吸入し、並びに機体内のヒーターを通過させて熱風を形成し、更に吹出口より送出し、室内の空気を加熱するか、或いは布団の乾燥を行います。
【考案の開示】
【考案が解決しようとする課題】
【０００３】
伝統的なファンヒーター或いは布団乾燥機はそれぞれ独立した機器とされ、これまで一つに整合されておらず、このため消費者がこの二種類の電化製品を必要とする時には、両方を買う必要があり、コストがかかり、且つ二種類の機器を室内に置くと場所を取り、明らかに不経済である。
【課題を解決するための手段】
【０００４】
本考案は、ファンヒーターを使用する時、送出する熱風の温度を比較的高くし、布団乾燥機を使用する時、送出する温風の温度を比較的低くする要求に基づき、一つの機体に、温風吹出口と布団乾燥吹出口を設け、機体内にヒーター、ファン及び風向制御装置を設置する。上述のファンは機体外の空気を機体内に吸入し、ヒーターを通過させて熱風を形成し、熱風に風向制御装置を通過させてそのうち一つの吹出口より送出するか、或いは布団乾燥吹出口より送出します。
【０００５】
本考案の提供するセラミックヒーター機能付き布団乾燥機の技術手段は、一つの機体内にファンと風向制御装置を設け、ファンにより機体外の空気をヒーターに送出して更に風向制御装置に送出する。該風向制御装置は布団乾燥出風管と温風出風管に接続されたシャッターを包含し、該シャッター内に回転軸で切換板が枢設され、該シャッターに切替モーターが設けられ、該切替モーターは該回転軸に接続され、該切換板を制御して該シャッターに設けられた第１開口と第２開口の間で回転させ、切換板が該第１開口を遮蔽する時、機体内に吸入された空気は該シャッターの第２開口を通過して該温風出風管より送出され、上述の切換板が該第２開口を遮蔽する時、機体内に吸入された空気は該シャッターの第１開口を通過して該布団乾燥出風管より送出される。
【０００６】
本考案のシャッターには第１トリガスイッチと第２トリガスイッチが設けられ、該回転軸に接続部材が設けられ、該切替モーターが該回転軸を介して該切換板を駆動して回転させて該第１開口を遮蔽させるとき、該接続部材は該第１トリガスイッチに接触して切替モーターの電力を切断し、切替モーターが該回転軸を介して上述の切換板を回転させて該第２開口を遮蔽させる時、接続部材が該第２トリガスイッチに接触して切替モーターの電力を切断します。
【考案の効果】
【０００７】
本考案は周知のファンヒーターと布団乾燥機が一つに整合されておらず、このため消費者がこの二種類の電化製品を必要とする時には、両方を買う必要があり、コストがかかり、且つ二種類の商品を置くのに場所をとるという問題を解決します。
【０００８】
すなわち、本考案は、ファンヒーターと布団乾燥機を一つに整合した設計を提供することにより、消費者があまりお金をかけずに、ファンヒーターと布団乾燥機の二種類の機能を具備した電化製品を手に入れることができるようにし、これにより経済的負担を軽減し、また、室内空間をあまり占有しないようにする。
【考案を実施するための最良の形態】
【０００９】
図１及び図２は本考案のセラミックヒーター機能付き布団乾燥機の形態を表示します。それは、機体１、機体１の一側に設置された吸込口１１を包含し、このほか異なる二つの位置に温風吹出口１２と布団乾燥吹出口１３が設けられる。該機体１内にファン２と風向制御装置３が設けられ、該風向制御装置３はファン２に接続されたシャッター３１を具え、該シャッター３１に布団乾燥出風管３０が接続され、該布団乾燥出風管３０に導風ホース１４が接続されて布団乾燥吹出口１３まで延伸されている。
【００１０】
図３及び図４は本考案の風向制御装置３の構造を表示し、それは、側壁に第１開口３１２と第２開口３１３を具えたシャッター３１を包含し、且つシャッター３１の内部に中空の内空間が形成されています。図４に示される状態では、第１開口３１２はシャッター３１の上方に位置し、第２開口３１３はシャッター３１の側方に位置し、シャッター３１の下方は開放され、並びに貫通穴３８０を具えた底座３８が接続されている。該底座３８は貫通穴３８０によりシャッター３１の内部と連通する。該シャッター３１の対向する両側壁に穴３１１が設けられ、回転軸３３が切換板３２の端辺に設けられた軸穴３２１に通された後に、更に該回転軸３３の両端がこの二つの穴３１１に組み合わされ、回転軸３３とシャッター３１の間が枢接され、切換板３２が第１開口３１２と第２開口３１３の間で回転可能とされる。切換板３２が該第１開口３１２を遮蔽する時、貫通穴３８０と第２開口３１３が連通し（図６）、切換板３２が第２開口３１３を遮蔽する時、貫通穴３８０が第１開口３１２と連通する（図７）。
【００１１】
本考案のシャッター３１の側壁に切替モーター３５が設置され、該切替モーター３５の駆動軸は回転軸３３に接続され、且つ該回転軸３３のシャッター３１の外に延伸された部分に接続部材３６が設置される。接続部材３６の両側のシャッター３１の側壁にそれぞれ切替モーター３５と電気的に接続された第１トリガスイッチ３７Ａと第２トリガスイッチ３７Ｂが設置される。該切替モーター３５が回転軸３３を介して切換板３２を駆動して回転させ、第１開口３１２を遮蔽させる時、上述の接続部材３６は該第１トリガスイッチ３７Ａに接触して切替モーター３５の電力を切断させる。切替モーター３５が回転軸３３を介して切換板３２を駆動して第２開口３１３を遮蔽する時、該接続部材３６は第２トリガスイッチ３７Ｂに接触して切替モーター３５の電力を切断させる。
【００１２】
本考案のシャッター３１の上方の第１開口３１２に接続された布団乾燥出風管３０の好ましい実施例は、第１固定座３０Ａと第２固定座３０Ｂで構成されて、シャッター３１の第１開口３１２より流出する空気を案内する。このほか、該布団乾燥出風管３０は更に伸縮ホースに接続された固定座とされ得て、ホースを利用して温風を比較的遠い場所に導出して布団乾燥を行える。
【００１３】
本考案のシャッター３１の側方の第２開口３１３に接続された温風出風管３４の好ましい実施例は、一種の箱形体とされ、第２開口３１３より送出された熱風を機体外に導出する。
【００１４】
図２、図５及び図６から図８を共に参照されたい。本考案のセラミックヒーター機能付き布団乾燥機の動作方式は、ファン２を利用して機体外の空気を機体内に導入し、並びに機体内のヒーター（図示せず）を通過させ、空気を熱風となし、このとき、使用者はその使用目的が室内温度の加熱か布団乾燥かにより、コントローラーを制御して切替モーター３５の運転を制御する。切替モーター３５が切換板３２を駆動して回転させ、第１開口３１２を遮蔽させる時、接続部材３６は第１トリガスイッチ３７Ａに接触して切替モーター３５の電力を切断させ、このとき、熱風は第２開口３１３及び温風出風管３４を通り温風吹出口１２より送出される（図７の矢印に示される方向）。切替モーター３５が切換板３２を駆動して回転させ第２開口３１３を遮蔽させる時、接続部材３６は第２トリガスイッチ３７Ｂを駆動して切替モーター３５の電力を切断させ、このとき、熱風は第１開口３１２及び布団乾燥出風管３０を通り布団乾燥吹出口１３より送出される（図８の矢印に示される方向）。
【図面の簡単な説明】
【００１５】
【図１】本考案のセラミックヒーター機能付き布団乾燥機の局部外観形態の立体図である。
【図２】本考案のセラミックヒーター機能付き布団乾燥機の内部構造の実施例の立体図である。
【図３】本考案の風向制御装置の外観構造の実施例の立体図である。
【図４】本考案の風向制御装置の主要な構成部品の組合せ関係を示す立体分解図である。
【図５】本考案の風向制御装置の内部構造の平面断面図である。
【図６】本考案の風向制御装置の外観構造の側面図である。
【図７】図５のＡ−Ａ断面図であり、温風出風時の状態を示す。
【図８】図５のＡ−Ａ断面図であり、布団乾燥出風時の状態を表示します。
【符号の説明】
【００１６】
１  機体
１１  吸込口
１２  温風吹出口
１３  布団乾燥吹出口
１４  導風ホース
２  ファン
３  風向制御装置
３０  布団乾燥出風管
３０Ａ  第１固定座
３０Ｂ  第２固定座
３１  シャッター
３１１  穴
３１２  第１開口
３１３  第２開口
３２  切換板
３２１  軸穴
３３  軸
３４  温風出風管
３５  切替モーター
３６  接続部材
３７Ａ  第１トリガスイッチ
３７Ｂ  第２トリガスイッチ
３８  底座
３８０  貫通穴
【図１】
0003139529.tif 000003
【図２】
0003139529.tif 000004
【図３】
0003139529.tif 000005
【図４】
0003139529.tif 000006
【図５】
0003139529.tif 000007
【図６】
0003139529.tif 000008
【図７】
0003139529.tif 000009
【図８】
0003139529.tif 000010